(57)【要約】【課題】従来の電子機器において実行されていた文字入力を操作性の面で改善すること。【解決手段】１つの態様において、電子機器は、タッチスクリーンと、前記タッチスクリーンの縁に沿って並ぶ複数のソフトウェアキーと、前記ソフトウェアキーの操作に基づいて、点字規則に従った文字入力処理を実行するコントローラとを備える。前記コントローラは、複数の前記ソフトウェアキーに、前記点字規則に従って文字を表わす点字を入力するための複数の点字キーに対応する役割を重複しないように個別に割り当てて、１又は複数の前記ソフトウェアキーに対する操作を検出すると、操作が検出された１又は複数のソフトウェアキーに対応する文字を前記点字規則と照らし合わせて特定する。【選択図】図１
2018005350.tif 000002
【特許請求の範囲】
【請求項１】
タッチスクリーンと、
前記タッチスクリーンの縁に沿って並ぶ複数のソフトウェアキーと、
前記ソフトウェアキーの操作に基づいて、点字規則に従った文字入力処理を実行するコントローラと
を備え、
前記コントローラは、
複数の前記ソフトウェアキーに、前記点字規則に従って文字を表わす点字を入力するための複数の点字キーに対応する役割を重複しないように個別に割り当てて、
１又は複数の前記ソフトウェアキーに対する操作を検出すると、該操作が検出された１又は複数のソフトウェアキーに対応する文字を前記点字規則と照らし合わせて特定する電子機器。
【請求項２】
タッチスクリーンと、
前記タッチスクリーンの縁に沿って並ぶ複数のソフトウェアキーと
を備える電子機器が実行する制御方法であって、
複数の前記ソフトウェアキーに、点字規則に従って文字に対応する複数の点字キーに対応する役割を重複しないように個別に割り当てるステップと、
１又は複数の前記ソフトウェアキーに対する操作を検出すると、該操作が検出された１又は複数のソフトウェアキーに対応する文字を前記点字規則と照らし合わせて特定するステップと
含む文字入力制御方法。
【請求項３】
タッチスクリーンと、
前記タッチスクリーンの縁に沿って並ぶ複数のソフトウェアキーと
を備える電子機器に、
複数の前記ソフトウェアキーに、点字規則に従って文字に対応する複数の点字キーに対応する役割を重複しないように個別に割り当てるステップと、
１又は複数の前記ソフトウェアキーに対する操作を検出すると、該操作が検出された１又は複数のソフトウェアキーに対応する文字を前記点字規則と照らし合わせて特定するステップと
を実行させる文字入力制御プログラム。
【発明の詳細な説明】
【技術分野】
【０００１】
本出願は、電子機器、文字入力制御方法、及び文字入力制御プログラムに関する。
【背景技術】
【０００２】
電子機器には、物理キー及びタッチスクリーンなどを搭載したものがある。例えば、特許文献１には、物理キー及びタッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
従来の電子機器において実行されていた文字入力には、操作性の面で改善の余地がある。
【課題を解決するための手段】
【０００５】
１つの態様に係る電子機器は、タッチスクリーンと、前記タッチスクリーンの縁に沿って並ぶ複数のソフトウェアキーと、前記ソフトウェアキーの操作に基づいて、点字規則に従った文字入力処理を実行するコントローラとを備える。前記コントローラは、複数の前記ソフトウェアキーに、前記点字規則に従って文字を表わす点字を入力するための複数の点字キーに対応する役割を重複しないように個別に割り当てて、１又は複数の前記ソフトウェアキーに対する操作を検出すると、該操作が検出された１又は複数のソフトウェアキーに対応する文字を前記点字規則と照らし合わせて特定する。
【０００６】
１つの態様に係る文字入力制御方法は、タッチスクリーンと、前記タッチスクリーンの縁に沿って並ぶ複数のソフトウェアキーとを備える電子機器が実行する文字入力制御方法である。前記文字入力制御方法は、複数の前記ソフトウェアキーに、点字規則に従って文字に対応する複数の点字キーに対応する役割を重複しないように個別に割り当てるステップを含む。前記文字入力制御方法は、１又は複数の前記ソフトウェアキーに対する操作を検出すると、該操作が検出された１又は複数のソフトウェアキーに対応する文字を前記点字規則と照らし合わせて特定するステップを含む。
【０００７】
１つの態様に係る文字入力制御プログラムは、タッチスクリーンと、前記タッチスクリーンの縁に沿って並ぶ複数のソフトウェアキーとを備える電子機器に次の各ステップを実行させる。前記文字入力制御プログラムは、複数の前記ソフトウェアキーに、点字規則に従って文字に対応する複数の点字キーに対応する役割を重複しないように個別に割り当てるステップを実行させる。前記文字入力制御プログラムは、１又は複数の前記ソフトウェアキーに対する操作を検出すると、該操作が検出された１又は複数のソフトウェアキーに対応する文字を前記点字規則と照らし合わせて特定するステップを実行させる。
【図面の簡単な説明】
【０００８】
【図１】図１は、実施形態に係る電子機器の機能構成の一例を示すブロック図である。
【図２】図２は、実施形態に係るソフトウェアキーの表示例を示す図である。
【図３】図３は、実施形態に係るタッチスクリーンの構造の一例を示す図である。
【図４】図４は、実施形態に係る点字規則に従った文字入力処理を実行する点字キーの概念的な構成の一例を示す図である。
【図５】図５は、実施形態に係るキーデータの一例を示す図である。
【図６】図６は、実施形態に係る点字キーの役割が割り当られるソフトウェアキーの位置を示す図である。
【図７】図７は、実施形態に係るキー割り当てデータの他の例を示す図である。
【図８】図８は、実施形態に係る点字キーの役割が割り当られるソフトウェアキーの位置を示す他の概要図である。
【図９】図９は、実施形態に係るキー割り当てデータの他の例を示す図である。
【図１０】図１０は、実施形態に係る点字キーの役割が割り当られるソフトウェアキーの位置を示す他の概要図である。
【図１１】図１１は、実施形態に係るキー割り当てデータの他の例を示す図である。
【図１２】図１２は、実施形態に係る点字キーの役割が割り当られるソフトウェアキーの位置を示す他の概要図である。
【図１３】図１３は、実施形態に係るキー割り当てデータの他の例を示す図である。
【図１４】図１４は、実施形態に係る点字キーの役割が割り当られるソフトウェアキーの位置を示す他の概要図である。
【図１５】図１５は、実施形態に係るキー割り当てデータの他の例を示す図である。
【図１６】図１６は、実施形態に係る点字キーの役割が割り当られるソフトウェアキーの位置を示す他の概要図である。
【図１７】図１７は、実施形態に係る点字規則データの例を示す図である。
【図１８】図１８は、実施形態に係るひらがな入力ロジックファイルの概要を示す図である。
【図１９】図１９は、実施形態に係る文字入力処理に伴う画面遷移を示す概要図である。
【図２０】図２０は、実施形態に係る電子機器により実行される処理の流れの一例を示すフローチャートである。
【図２１】図２１は、実施形態に係る電子機器の他の構造例を示す図である。
【図２２】図２２は、実施形態に係る電子機器の他の構造例を示す図である。
【図２３】図２３は、実施形態に係る電子機器の他の構造例を示す図である。
【発明を実施するための形態】
【０００９】
本出願に係る電子機器、文字入力制御方法、及び文字入力制御プログラムを実施するための複数の実施形態を、図面を参照しつつ詳細に説明する。
【００１０】
本出願に係る電子機器は、スマートフォン、モバイルフォン、タブレット、携帯型パソコン、メディアプレイヤ、電子書籍リーダ、ナビゲータ、ウエアラブルデバイス、又はゲーム機等の機器であってよい。
【００１１】
図１は、実施形態に係る電子機器の機能構成の一例を示すブロック図である。以下の説明において、同様の構成要素について同一の符号を付すことがある。以下の説明において、重複する説明は省略することがある。
【００１２】
図１に示すように、電子機器１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、モーションセンサ１５とを含む。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１５】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１６】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
タッチスクリーン２Ｂの検出方式は、静電容量方式、抵抗膜方式、表面弾性波方式、赤外線方式、及び荷重検出方式等の任意の方式でよい。
【００１８】
図２は、実施形態に係るソフトウェアキーの表示例を示す図である。タッチスクリーンディスプレイ２は、タッチスクリーンディスプレイ２の縁に沿って、複数のソフトウェアキーを表示する。図２に示す例では、タッチスクリーンディスプレイ２は、タッチスクリーンディスプレイ２（ディスプレイ２Ａ）上の表示領域３０ａに、複数のソフトウェアキー３０ａ１、・・・、ソフトウェアキー３０ａ１０を表示する。ソフトウェアキー３０ａ１、・・・、ソフトウェアキー３０ａ１０は、タッチスクリーンディスプレイ２の縁Ｆ１に沿って、図２に示すｘ軸に平行な方向に１列に並んで配置される。同様に、タッチスクリーンディスプレイ２は、タッチスクリーンディスプレイ２（ディスプレイ２Ａ）上の表示領域３０ｂに、複数のソフトウェアキー３０ｂ１、・・・、ソフトウェアキー３０ｂ１０を表示する。ソフトウェアキー３０ｂ１、・・・、ソフトウェアキー３０ｂ１０は、タッチスクリーンディスプレイ２の縁Ｆ２に沿って、図２に示すｘ軸に平行な方向に１列に並んで配置される。同様に、タッチスクリーンディスプレイ２は、タッチスクリーンディスプレイ２（ディスプレイ２Ａ）上の表示領域３０ｃに、複数のソフトウェアキー３０ｃ１、ソフトウェアキー３０ｃ２、及びソフトウェアキー３０ｃ３を表示する。ソフトウェアキー３０ｃ１、ソフトウェアキー３０ｃ２、及びソフトウェアキー３０ｃ３は、タッチスクリーンディスプレイ２の縁Ｆ３に沿って、図２に示すｙ軸に平行な方向に１列に並んで配置される。ソフトウェアキーの数は、図２に示す例には限定されることなく、必要に応じて任意の数で構成されてよい。ソフトウェアキー３０ａ１、・・・、ソフトウェアキー３０ａ１０は、ソフトウェアキーの一例である。
【００１９】
ボタン３は、ユーザからの操作入力を受け付ける。
【００２０】
図３を用いて、実施形態に係るタッチスクリーン２Ｂの構造の一例を説明する。図３は、実施形態に係るタッチスクリーンの構造の一例を示す図である。図３に示すように、タッチスクリーン２Ｂは、複数の第１の電極２Ｂ１と、複数の第２の電極２Ｂ２とを含む。第１の電極２Ｂ１は、タッチスクリーン２Ｂの長手方向に延在する。第２の電極２Ｂ２は、タッチスクリーン２Ｂの短手方向に延在する。タッチスクリーン２Ｂは、複数の第１の電極２Ｂ１と複数の第２の電極２Ｂ２とを、格子状に交差させた状態で配置する。タッチスクリーン２Ｂは、複数の第１の電極２Ｂ１と複数の第２の電極２Ｂ２とが交差する各位置（検出点）４０で、タッチスクリーンディスプレイ２（ディスプレイ２Ａ）上のソフトウェアキーに対する指などの導電性の物体の接触又は近接を検出する。導電性の物体がタッチスクリーン２Ｂに接近すると、タッチスクリーン２Ｂと当該物体との間に容量結合が発生する。タッチスクリーン２Ｂは、容量結合を検出点４０で感知することにより、指などの導電性の物体の接触点５０などを検出する。
【００２１】
コントローラ１０は、タッチスクリーンディスプレイ２（タッチスクリーン２Ｂ）を介して、タッチスクリーンディスプレイ２上に表示されるソフトウェアキーに対するタッチジェスチャを検出できる。コントローラ１０は、１又は複数のソフトウェアキーに対するタッチを検出できる。コントローラ１０は、１又は複数のソフトウェアキーに対するロングタッチを検出できる。
【００２２】
コントローラ１０は、例えば、タッチスクリーンディスプレイ２（タッチスクリーン２Ｂ）を介して、ソフトウェアキー３０ａ１、・・・、ソフトウェアキー３０ａ１０のいずれかに対する操作と、ソフトウェアキー３０ａ１、・・・、ソフトウェアキー３０ａ１０以外に対する操作とを同一のタイミングで検出した場合には、最新の操作に対する処理を優先して実行できる。コントローラ１０は、例えば、タッチスクリーンディスプレイ２（タッチスクリーン２Ｂ）を介して、ソフトウェアキー３０ａ１、・・・、ソフトウェアキー３０ａ１０のいずれかに対する操作が検出されている状態の時には、ソフトウェアキー３０ａ１、・・・、ソフトウェアキー３０ａ１０以外に対する操作を無効な操作として取り扱うことができる。
【００２３】
照度センサ４は、照度を検出する。照度は、照度センサ４の測定面の単位面積に入射する光束の値である。照度センサ４は、例えば、ディスプレイ２Ａの輝度の調整に用いられる。
【００２４】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２５】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２６】
レシーバ７は、コントローラ１０から送出される音信号を音として出力する。レシーバ７は、例えば、電子機器１にて再生される動画の音、音楽の音、及び通話時の相手の声を出力することができる。マイク８は、入力されるユーザの声等を音信号へ変換してコントローラ１０へ送信する。
【００２７】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２８】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００２９】
ストレージ９は、制御プログラム９Ａ、文字入力制御プログラム９Ｂ、キーデータ９Ｃ、点字規則データ９Ｄ、条件データ９Ｅ、及び設定データ９Ｚなどを記憶できる。制御プログラム９Ａは、各種機能を提供するに際し、電子機器１が記憶する各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００３０】
制御プログラム９Ａは、電子機器１の各種動作に関する処理を実現するための機能をそれぞれ提供できる。制御プログラム９Ａが提供する機能には、照度センサ４の検出結果に基づいて、ディスプレイ２Ａの輝度を調整する機能が含まれる。制御プログラム９Ａが提供する機能には、近接センサ５の検出結果に基づいて、タッチスクリーン２Ｂに対する操作を無効とする機能が含まれる。制御プログラム９Ａが提供する機能には、通信ユニット６、レシーバ７、及びマイク８等を制御することによって、通話を実現させる機能が含まれる。制御プログラム９Ａが提供する機能には、カメラ１２、及びカメラ１３の撮影処理を制御する機能が含まれる。制御プログラム９Ａが提供する機能には、コネクタ１４を介して接続される外部機器との間の通信を制御する機能が含まれる。制御プログラム９Ａが提供する機能には、タッチスクリーン２Ｂの検出結果に基づいて判別したジェスチャに応じて、ディスプレイ２Ａに表示されている情報を変更する等の各種制御を行う機能が含まれる。制御プログラム９Ａが提供する機能には、モーションセンサ１５の検出結果に基づいて、電子機器１を携帯する利用者の移動、停止等を検出する機能が含まれる。
【００３１】
文字入力制御プログラム９Ｂは、ソフトウェアキーの操作に基づいて、点字規則に従った文字入力処理を実行するための機能を提供できる。文字入力制御プログラム９Ｂは、文字入力処理を実行するためのユーザインタフェースをタッチスクリーンディスプレイ２に表示させる機能を提供する。文字入力制御プログラム９Ｂが提供するユーザインタフェースには、ユーザからの文字入力の操作を受け付けるための複数のソフトウェアキーが含まれる。文字入力制御プログラム９Ｂは、例えば、複数のソフトウェアキー３０ａ１、・・・、ソフトウェアキー３０ａ１０に、点字規則に従って文字を表わす点字を入力するための複数の点字キーに対応する役割を重複しないように個別に割り当てる機能を提供できる。文字入力制御プログラム９Ｂは、例えば、複数のソフトウェアキー３０ａ１、・・・、ソフトウェアキー３０ａ１０の少なくとも１つのキーに対する操作を検出すると、操作が検出された１又は複数のソフトウェアキーに対応する文字を点字規則と照らし合わせて特定する機能を提供できる。
【００３２】
キーデータ９Ｃは、文字入力処理を実行するためのユーザインタフェースを構成し、タッチスクリーンディスプレイ２（ディスプレイ２Ａ）に表示させるためのデータを含む。キーデータ９Ｃは、点字規則に従った文字入力処理の実行に際して、ユーザインタフェースに含まれる複数のソフトウェアキーに所定の役割を割り当てるためのデータである。図４は、実施形態に係る点字規則に従った文字入力処理を実行する点字キーの概念的な構成の一例を示す図である。図４に示すように、点字キーは、右側キーグループ３０ＧＲと、左側キーグループ３０ＧＬで構成される。点字規則に従った６点入力を実現できるように、右側キーグループ３０ＧＲには３個のソフトウェアキーが含まれ、同様に、左側キーグループ３０ＧＬにも３個のソフトウェアキーが含まれる。具体的には、右側キーグループ３０ＧＲは、キーＲ１、キーＲ２、及びキーＲ３の３つのキーを含む。左側キーグループ３０ＧＬは、キーＬ１、キーＬ２、及びキーＬ３の３つのキーを含む。キーデータ９Ｃは、点字規則に従って文字を表わす点字を入力するための複数の点字キーに対応する役割を、例えば、ソフトウェアキー３０ａ１、・・・、ソフトウェアキー３０ａ１０に対して重複しないように個別に割り当てるための情報を有する。図５は、実施形態に係るキーデータの一例を示す図である。図５に示す例では、右側キーグループ３０ＧＲを構成するキーＲ１、キーＲ２、及びキーＲ３の役割が、ソフトウェアキー３０ａ４、ソフトウェアキー３０ａ３、及びソフトウェアキー３０ａ２にそれぞれ割り当てられ、左側キーグループ３０ＧＬを構成するキーＬ１、キーＬ２、及びキーＬ３の役割が、ソフトウェアキー３０ａ７、ソフトウェアキー３０ａ８、及びソフトウェアキー３０ａ９にそれぞれ割り当てられるように設定されている。図６は、実施形態に係る点字キーの役割が割り当られるソフトウェアキーの位置を示す図である。図５に示す設定により、図６に示すように、ソフトウェアキー３０ａ４、ソフトウェアキー３０ａ３、及びソフトウェアキー３０ａ２が、図５に示す右側キーグループ３０ＧＲとして使用され、ソフトウェアキー３０ａ７、ソフトウェアキー３０ａ８、及びソフトウェアキー３０ａ９が、図５に示す左側キーグループ３０ＧＬとして使用される。
【００３３】
図６に示す点字キーの割り当ては一例であり、図５に示す設定を変更することにより、図６に示す例とは別のパターンでソフトウェアキーに対する点字キーの割り当てが行われてもよい。以下、図７〜図１６を用いて、点字キーの割り当ての他の例を説明する。図７、９、１１、１３、１５は、実施形態に係るキー割り当てデータの他の例を示す図である。図８、１０、１２、１４、１６は、実施形態に係る点字キーの役割が割り当られるソフトウェアキーの位置を示す他の概要図である。図５及び図６を用いて説明した例とは異なり、右側キーグループ３０ＧＲ及び左側キーグループ３０ＧＬの役割が、ディスプレイ２Ａ上の表示領域３０ｂに表示されるソフトウェアキー群に割り当てられてもよい。例えば、図７及び図８に示すように、右側キーグループ３０ＧＲを構成するキーＲ１、キーＲ２、及びキーＲ３の役割が、ソフトウェアキー３０ｂ４、ソフトウェアキー３０ｂ３、及びソフトウェアキー３０ｂ２にそれぞれ割り当てられ、左側キーグループ３０ＧＬを構成するキーＬ１、キーＬ２、及びキーＬ３の役割が、ソフトウェアキー３０ｂ７、ソフトウェアキー３０ｂ８、及びソフトウェアキー３０ｂ９にそれぞれ割り当てられてもよい。あるいは、右側キーグループ３０ＧＲ及び左側キーグループ３０ＧＬの役割のいずれか一方が、ディスプレイ２Ａ上の表示領域３０ｂに表示されるソフトウェアキー群に割り当てられてもよい。例えば、図９及び図１０に示すように、右側キーグループ３０ＧＲを構成するキーＲ１、キーＲ２、及びキーＲ３の役割が、ソフトウェアキー３０ｂ４、ソフトウェアキー３０ｂ３、及びソフトウェアキー３０ｂ２にそれぞれ割り当てられ、左側キーグループ３０ＧＬを構成するキーＬ１、キーＬ２、及びキーＬ３の役割が、ソフトウェアキー３０ａ７、ソフトウェアキー３０ａ８、及びソフトウェアキー３０ａ９にそれぞれ割り当てられてもよい。あるいは、右側キーグループ３０ＧＲ及び左側キーグループ３０ＧＬの役割のいずれか一方が、ディスプレイ２Ａ上の表示領域３０ｃに表示されるソフトウェアキー群に割り当てられてもよい。例えば、図１１及び図１２に示すように、右側キーグループ３０ＧＲを構成するキーＲ１、キーＲ２、及びキーＲ３の役割が、ソフトウェアキー３０ａ４、ソフトウェアキー３０ａ３、及びソフトウェアキー３０ａ２にそれぞれ割り当てられ、左側キーグループ３０ＧＬを構成するキーＬ１、キーＬ２、及びキーＬ３の役割が、ソフトウェアキー３０ｃ１、ソフトウェアキー３０ｃ２、及びソフトウェアキー３０ｃ３にそれぞれ割り当てられてもよい。あるいは、右側キーグループ３０ＧＲ及び左側キーグループ３０ＧＬの役割のいずれか一方が、ディスプレイ２Ａ上の表示領域３０ａ及び表示領域３０ｃに表示されるソフトウェアキー群に分割して割り当てられてもよい。例えば、図１３及び図１４に示すように、右側キーグループ３０ＧＲを構成するキーＲ１、キーＲ２、及びキーＲ３の役割が、ソフトウェアキー３０ａ４、ソフトウェアキー３０ａ３、及びソフトウェアキー３０ａ２にそれぞれ割り当てられ、左側キーグループ３０ＧＬを構成するキーＬ１の役割がソフトウェアキー３０ａ１０に割り当てられ、左側キーグループ３０ＧＬを構成するキーＬ２及びキーＬ３の役割が、ソフトウェアキー３０ｃ１及びソフトウェアキー３０ｃ２にそれぞれ割り当てられてもよい。あるいは、右側キーグループ３０ＧＲ及び左側キーグループ３０ＧＬの役割のいずれか一方が、ディスプレイ２Ａ上の表示領域３０ａ及び表示領域３０ｃに表示されるソフトウェアキー群に分割して割り当てられてもよい。例えば、図１５及び図１６に示すように、右側キーグループ３０ＧＲを構成するキーＲ１、キーＲ２、及びキーＲ３の役割が、ソフトウェアキー３０ａ４、ソフトウェアキー３０ａ３、及びソフトウェアキー３０ａ２にそれぞれ割り当てられ、左側キーグループ３０ＧＬを構成するキーＬ１及びキーＬ２の役割が、ソフトウェアキー３０ｃ２及びソフトウェアキー３０ｃ３にそれぞれ割り当てられ、左側キーグループ３０ＧＬを構成するキーＬ３の役割が、ソフトウェアキー３０ｂ１０に割り当てられてもよい。
【００３４】
点字規則データ９Ｄは、１又は複数のソフトウェアキーの操作に対応する文字を特定するためのデータである。点字規則データ９Ｄは、１又は複数のソフトウェアキーの操作に対応する文字を特定するために必要となるデータを全て含む。図１７は、実施形態に係る点字規則データの例を示す図である。図１７に示すように、点字規則データ９Ｄは、例えば、ひらがな入力ロジックファイル９Ｄ−１、促音入力ロジックファイル９Ｄ−２、濁音入力ロジックファイル９Ｄ−３、半濁音入力ロジックファイル９Ｄ−４、拗音入力ロジックファイル９Ｄ−５、拗濁音入力ロジックファイル９Ｄ−６、拗半濁音入力ロジックファイル９Ｄ−７、数字入力ロジックファイル９Ｄ−８などのファイルを含む。
【００３５】
図１８を用いて、点字規則データ９Ｄの一例を説明する。図１８は、実施形態に係るひらがな入力ロジックファイルの概要を示す図である。図１８に示すように、例えば、あ行の「あ」の文字は、左側キーグループ３０ＧＬのキーＬ１に対する操作、すなわち、ソフトウェアキー３０ａ７への操作に対応する。また、図１８に示すように、か行の「か」は、左側キーグループ３０ＧＬのキーＬ１及び右側キーグループ３０ＧＲのキーＲ３に対する操作、すなわち、ソフトウェアキー３０ａ７及びソフトウェアキー３０ａ２への操作に対応している。このように、ひらがな入力ロジックファイル９Ｄ−１は、あ行、か行、さ行、た行、な行、は行、ま行、や行、ら行、わ行の各行に含まれる文字と、１又は複数のソフトウェアキーに対する操作パターンとの対応関係を規定している。同様にして、促音入力ロジックファイル９Ｄ−２、濁音入力ロジックファイル９Ｄ−３、半濁音入力ロジックファイル９Ｄ−４、拗音入力ロジックファイル９Ｄ−５、拗濁音入力ロジックファイル９Ｄ−６、拗半濁音入力ロジックファイル９Ｄ−７、数字入力ロジックファイル９Ｄ−８などのファイルについても、各文字と、１又は複数のソフトウェアキーに対する操作パターンとの対応関係を規定している。
【００３６】
条件データ９Ｅは、文字入力制御プログラム９Ｂで処理を実行する各種条件が設定されている。具体的には、条件データ９Ｅには、文字入力制御プログラム９Ｂの文字入力処理の開始条件、文字入力処理の終了条件等が設定されている。
【００３７】
設定データ９Ｚは、制御プログラム９Ａにより実行される処理に用いられる情報を含む。
【００３８】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、電子機器１の動作を統括的に制御して各種の機能を実現する。
【００３９】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、モーションセンサ１５を含むが、これらに限定されない。
【００４０】
コントローラ１０は、制御プログラム９Ａを実行することにより、電子機器１の各種動作に関する処理を実現できる。
【００４１】
コントローラ１０は、文字入力制御プログラム９Ｂを実行することにより、点字規則に従った文字入力処理を実現できる。コントローラ１０は、例えば、ソフトウェアキー３０ａ１、・・・、ソフトウェアキー３０ａ１０に、点字規則に従って文字を表わす点字を入力するための複数の点字キーに対応する役割を重複しないように個別に割り当てる処理を実現できる。コントローラ１０は、例えば、ソフトウェアキー３０ａ１、・・・、ソフトウェアキー３０ａ１０の少なくとも１つのキーに対する操作を検出すると、操作が検出された１又は複数のソフトウェアキーに対応する文字を点字規則と照らし合わせて特定する処理を実現できる。コントローラ１０は、コントローラの一例である。
【００４２】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００４３】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で電子機器１に実装されてもよい。
【００４４】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４５】
モーションセンサ１５は、電子機器１を携帯する利用者の動作を判定するための各種情報を検出できる。モーションセンサ１５は、加速度センサ、方位センサ、ジャイロスコープ、磁気センサ及び気圧センサなどを備えるセンサユニットとして構成されてよい。
【００４６】
電子機器１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、電子機器１の現在位置の演算処理をサポートする。電子機器１は、ＧＰＳ衛星以外の測位用人工衛星の信号を受信可能な受信機を備え、現在位置の演算処理を実行してもよい。バイブレータは、電子機器１の一部又は全体を振動させる。バイブレータは、振動を発生させるために、例えば、圧電素子、又は偏心モータなどを有する。電子機器１は、バッテリなど、電子機器１の機能を維持するために当然に用いられる機能部、及び電子機器１の制御を実現するために当然に用いられる制御部を実装する。
【００４７】
電子機器１は、通信ユニット６を介してクラウド上の記憶サーバにアクセスし、各種プログラム及びデータを取得してもよい。
【００４８】
図１９を参照しつつ、実施形態に係る電子機器１の処理の一例を説明する。図１９は、実施形態に係る文字入力処理に伴う画面遷移を示す概要図である。
【００４９】
電子機器１は、点字規則に従った文字入力処理の実行に際し、キーデータ９Ｃを参照し、点字規則に従って文字を表わす点字を入力するための複数の点字キーに対応する役割を、複数のソフトウェアキーに重複しないように個別に割り当てる。
【００５０】
電子機器１は、図１９に示すように、文字入力処理の実行画面２０をディスプレイ２Ａに表示する（ステップＳ１１）。実行画面２０は、ユーザからの文字入力の操作を受け付けるためのユーザインタフェースであり、複数のソフトウェアキー及びテキスト表示領域２１を有する。
【００５１】
文字入力処理の実行画面２０をディスプレイ２Ａに表示した後、電子機器１は、ソフトウェアキー３０ａ７に対するタッチを検出すると、タッチが検出されたソフトウェアキー３０ａ７に対応する出力を実行する（ステップＳ１２）。具体的には、電子機器１は、タッチを検出したソフトウェアキー３０ａ７に対応する文字を、点字規則データ９Ｄに基づいて特定し、特定した文字「あ」の読み上げ音声Ｍ１をスピーカ１１から出力する。
【００５２】
ソフトウェアキー３０ａ７に対応する出力を実行した後、電子機器１は、ソフトウェアキー３０ａ４に対する新たなタッチを検出すると、ステップＳ１２において既に操作を検出済みであるソフトウェアキー３０ａ７及び新たに操作が検出されたソフトウェアキー３０ａ４に対応する出力を実行する（ステップＳ１３）。具体的には、電子機器１は、ソフトウェアキー３０ａ７及びソフトウェアキー３０ａ４の組合せに対応する文字を、点字規則データ９Ｄに基づいて特定し、特定した文字「う」の読み上げ音声Ｍ２をスピーカ１１から出力する。
【００５３】
ソフトウェアキー３０ａ７及びソフトウェアキー３０ａ４に対応する出力を実行した後、電子機器１は、ソフトウェアキー３０ａ２に対する新たなタッチを検出すると、ステップＳ１２において既に操作を検出済みであるソフトウェアキー３０ａ７、ステップＳ１３において既に操作を検出済みであるソフトウェアキー３０ａ４、及び新たに操作が検出されたソフトウェアキー３０ａ２に対応する出力を実行する（ステップＳ１４）。具体的には、電子機器１は、ソフトウェアキー３０ａ７、ソフトウェアキー３０ａ４、及びソフトウェアキー３０ａ２の組合せに対応する文字を、点字規則データ９Ｄに基づいて特定し、特定した文字「く」の読み上げ音声Ｍ３をスピーカ１１から出力する。
【００５４】
ソフトウェアキー３０ａ７、ソフトウェアキー３０ａ４、及びソフトウェアキー３０ａ２に対応する出力を実行した後、電子機器１は、ソフトウェアキー３０ａ７、ソフトウェアキー３０ａ４、及びソフトウェアキー３０ａ２に対するロングタッチを検出すると、ロングタッチが検出されたソフトウェアキー３０ａ７、ソフトウェアキー３０ａ４、及びソフトウェアキー３０ａ２に対応する出力を実行する（ステップＳ１５）。具体的には、電子機器１は、ソフトウェアキー３０ａ７、ソフトウェアキー３０ａ４、及びソフトウェアキー３０ａ２の組合せに対応する文字「く」の入力を確定し、テキスト表示領域２１に表示させる。
【００５５】
図１９に示す例では、電子機器１が、例えば、ソフトウェアキー３０ａ７、ソフトウェアキー３０ａ４、及びソフトウェアキー３０ａ２に対する操作を順に検出して、操作されたキーの組合せを特定する場合を説明したが、この例に限定されるものではなく、例えば、ソフトウェアキー３０ａ７、ソフトウェアキー３０ａ４、及びソフトウェアキー３０ａ２に対する同時の操作を検出し、操作されたキーの組合せを特定してもよい。例えば、電子機器１は、ソフトウェアキー３０ａ７及びソフトウェアキー３０ａ４に対する同時のタッチを検出すると、ソフトウェアキー３０ａ７及びソフトウェアキー３０ａ４に対応する文字「う」の読み上げ音声を出力し、ソフトウェアキー３０ａ７、ソフトウェアキー３０ａ４、及びソフトウェアキー３０ａ２に対する同時のタッチを検出すると、ソフトウェアキー３０ａ７、ソフトウェアキー３０ａ４、及びソフトウェアキー３０ａ２に対応する文字「く」の読み上げ音声を出力する。
【００５６】
上記ステップＳ１３、ステップＳ１４、及びステップＳ１５において、電子機器１は、複数のソフトウェアキーに対して同時に操作が行われても、複数のソフトウェアキーに対する同時の操作として検出できる。電子機器１は、複数のソフトウェアキーに対する操作が完全に同時に検出されなくても、同じタイミングで（例えば、一定時間内に）検出された場合には、複数のソフトウェアキーに対する同時の操作と判定してもよい。
【００５７】
上記ステップＳ１２、ステップＳ１３、及びステップＳ１４において、電子機器１は、他のソフトウェアキーへのタッチ、ソフトウェアキーのロングタッチを検出しない間、タッチを検出したソフトウェアキーに対応する文字の読み上げ音声の出力を最初の読み上げから一定時間経過ごとに繰り返し実行してもよい。上記ステップＳ１２、ステップＳ１３、及びステップＳ１４において、電子機器１は、タッチが検出されたソフトウェアキーに対応する文字が特定できない場合には、何も処理を行わなくてもよいし、バイブレータによる報知、割り当てがない旨の読み上げ音声の出力、ブザー音による報知などを実行してもよい。
【００５８】
上記ステップＳ１２、ステップＳ１３、及びステップＳ１４において、電子機器１は、ソフトウェアキーに対する操作が検出されてから一定時間が経過するまでの間、ソフトウェアキーに対する操作の検出結果を一時的に保存し、一定時間の経過後、当該検出結果を破棄するようにしてもよい。あるいは、上記ステップＳ１２、ステップＳ１３、及びステップＳ１４において、電子機器１は、ソフトウェアキーに対する操作が検出されてから一定時間が経過する前であっても、所定の操作が検出されることを条件に、ソフトウェアキーに対する操作の検出結果を破棄するようにしてもよい。電子機器１は、所定の操作として、ソフトウェアキーに対する操作の検出結果を破棄するための機能が割り当てられているソフトウェアキーに対する操作を検出してもよいし、タッチスクリーンディスプレイ２を介して、ソフトウェアキーに対する操作の検出結果を破棄するための所定のタッチジェスチャを検出してもよい。
【００５９】
上記ステップＳ１５において、電子機器１は、ソフトウェアキーのロングタッチを検出し、ロングタッチが検出されたソフトウェアキーの操作に対応する文字の入力を確定した場合には、バイブレータの振動、若しくはスピーカ１１からの効果音の出力によるフィードバックを実行してもよい。
【００６０】
上記図１９の説明において、電子機器１は、スピーカ１１を介して、文字の読み上げ音声を出力する際に、対応する文字の画像をディスプレイ２Ａにあわせて表示させてもよい。電子機器１は、スピーカ１１を介して、文字の読み上げ音声を出力する代わりに、対応する文字の画像をディスプレイ２Ａに表示させてもよい。電子機器１は、文字の読み上げ音声を出力しなくてもよい。
【００６１】
上記図１９の説明において、電子機器１は、ロングタッチが検出されたソフトウェアキーに対応する文字の入力を確定させる例を説明したが、文字入力の確定させる機能が割り当てられているソフトウェアキー、或いはボタン３の押下によって、文字入力を確定させてもよい。
【００６２】
上記図１９の説明において、電子機器１は、タッチが検出された１又は複数のソフトウェアキーに対応する文字を特定し、ロングタッチを検出した１又は複数のソフトウェアキーに対応する文字の入力を確定させる例を説明したが、この例に限定されるものではなく、例えば、ロングタッチが検出された１又は複数のソフトウェアキーに対応する文字を特定し、タッチを検出した１又は複数のソフトウェアキーに対応する文字の入力を確定させるなど、文字を特定するためのタッチジェスチャ及び文字の入力を確定させるためのタッチジェスチャとして任意のタッチジェスチャを採用することができる。
【００６３】
図２０を用いて、実施形態に係る電子機器により実行される処理の流れを説明する。図２０は、実施形態に係る電子機器により実行される処理の流れの一例を示すフローチャートである。図２０に示す処理は、コントローラ１０が、文字入力制御プログラム９Ｂを実行することにより実現される。図２０の説明において、ソフトウェアキー３０ａｍは、タッチスクリーンディスプレイ２に表示されるソフトウェアキー３０ａ１、・・・、ソフトウェアキー３０ａ１０に対応する（図２参照）。
【００６４】
図２０に示すように、コントローラ１０は、ソフトウェアキー３０ａｍへのタッチを検出したかを判定する（ステップＳ１０１）。
【００６５】
コントローラ１０は、判定の結果、ソフトウェアキー３０ａｍへのタッチを検出した場合（ステップＳ１０１，Ｙｅｓ）、タッチを検出したソフトウェアキー３０ａｍに対応する出力を実行する（ステップＳ１０２）。例えば、コントローラ１０は、タッチを検出した１又は複数のソフトウェアキーに対応する文字を、点字規則データ９Ｄに基づいて特定し、例えば、特定した文字の読み上げ音声を出力する。
【００６６】
続いて、コントローラ１０は、ソフトウェアキー３０ａｍのロングタッチを検出したかを判定する（ステップＳ１０３）。
【００６７】
コントローラ１０は、判定の結果、ソフトウェアキー３０ａｍのロングタッチを検出した場合（ステップＳ１０３，Ｙｅｓ）、ロングタッチを検出したソフトウェアキー３０ａｍに対応する出力を実行する（ステップＳ１０４）。例えば、コントローラ１０は、ロングタッチを検出した１又は複数のソフトウェアキーに対応する文字の入力を確定し、文字入力処理の実行画面２０のテキスト表示領域２１に表示させる。
【００６８】
続いて、コントローラ１０は、ソフトウェアキー３０ａｍ以外へのタッチを検出したかを判定する（ステップＳ１０５）。
【００６９】
コントローラ１０は、判定の結果、ソフトウェアキー３０ａｍ以外へのタッチを検出した場合（ステップＳ１０５，Ｙｅｓ）、図２０に示す処理を終了する。これとは反対に、コントローラ１０は、判定の結果、ソフトウェアキー３０ａｍ以外へのタッチを検出しない場合（ステップＳ１０５，Ｎｏ）、上記ステップＳ１０１の判定に戻る。
【００７０】
上記ステップＳ１０３において、コントローラ１０は、判定の結果、ソフトウェアキー３０ａｍのロングタッチを検出しない場合（ステップＳ１０３，Ｎｏ）、上記ステップＳ１０１の判定に戻る。
【００７１】
上記ステップＳ１０１において、コントローラ１０は、判定の結果、ソフトウェアキー３０ａｍへのタッチを検出しない場合（ステップＳ１０１，Ｎｏ）、同判定を繰り返す。
【００７２】
上記の実施形態によれば、電子機器１は、従来の文字入力を操作性の面で改善できる。
【００７３】
上記の実施形態では、電子機器１は、ロングタッチを検出した１又は複数のソフトウェアキーに対応する文字の入力を確定させる例を説明した。例えば、電子機器１は、所定の押し込みが行われた場合に、１又は複数のソフトウェアキーに対応する文字の入力を確定させる処理を実行してもよい。例えば、電子機器１は、圧力（感圧）センサを備え、タッチスクリーンディスプレイ２に対する所定の押し込みを検出する。電子機器１は、所定の押し込みを検出すると、所定の押し込みが検出されたときにタッチされていた１又は複数のソフトウェアキーをタッチスクリーンディスプレイ２を介して検出し、検出した１又は複数のソフトウェアキーに対応する文字に対応する文字の入力を確定させる。あるいは、電子機器１は、特定方向への同時のスワイプなどのタッチジェスチャ、タッチスクリーンディスプレイ２から指を同時に離すなどの操作を検出した場合に、文字の入力を確定してもよい。
【００７４】
上記の実施形態において、ソフトウェアキー３０ａ１、・・・、ソフトウェアキー３０ａ１０のいずれか１つ又は複数に対して、点字規則に従った文字入力処理に関連した各種機能だけではなく、点字規則に従った文字入力処理とは関連しない各種機能が割り当てられていてもよい。上記の実施形態において、ソフトウェアキー３０ｂ１、・・・、ソフトウェアキー３０ｂ１０のいずれか１つ又は複数に対して、点字規則に従った文字入力処理に関連した各種機能だけではなく、点字規則に従った文字入力処理とは関連しない各種機能が割り当てられていてもよい。上記の実施形態において、ソフトウェアキー３ｃ１、ソフトウェアキー３ｃ２、及びソフトウェアキー３ｃ３のいずれか１つ又は複数に対して、点字規則に従った文字入力処理に関連した各種機能だけではなく、点字規則に従った文字入力処理とは関連しない各種機能が割り当てられていてもよい。
【００７５】
図２１〜図２３は、実施形態に係る電子機器の他の構造例を示す図である。図２１に示すように、電子機器１は、図２に示す例とは異なる位置に複数のソフトウェアキーを配置した構造であってもよい。すなわち、ソフトウェアキー３ａ１、・・・、ソフトウェアキー３ａ１０は、電子機器１のタッチスクリーンディスプレイ２の縁Ｆ３に沿って配置される。同様に、ソフトウェアキー３ｂ１、・・・、ソフトウェアキー３ｂ１０は、タッチスクリーンディスプレイ２の縁Ｆ４に沿って配置される。同様に、ソフトウェアキー３ｃ１、ソフトウェアキー３ｃ２、及びソフトウェアキー３ｃ３は、タッチスクリーンディスプレイ２の縁Ｆ２に沿って配置される。また、図２２及び図２３に示すように、電子機器１は、略円形状の形態をなし、内部にタッチスクリーンディスプレイ２を配置するとともに、タッチスクリーンディスプレイ２の縁に沿って点字キーとしての役割が割り当てられる複数のソフトウェアキーを配置した構造体であってもよい。
【００７６】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７７】
１  電子機器
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  文字入力制御プログラム
９Ｃ  キーデータ
９Ｄ  点字規則データ
９Ｅ  条件データ
９Ｚ  設定データ
１０  コントローラ
１１  スピーカ
１２  カメラ
１３  カメラ
１４  コネクタ
１５  モーションセンサ
【図１】
2018005350.tif 000003
【図２】
2018005350.tif 000004
【図３】
2018005350.tif 000005
【図４】
2018005350.tif 000006
【図５】
2018005350.tif 000007
【図６】
2018005350.tif 000008
【図７】
2018005350.tif 000009
【図８】
2018005350.tif 000010
【図９】
2018005350.tif 000011
【図１０】
2018005350.tif 000012
【図１１】
2018005350.tif 000013
【図１２】
2018005350.tif 000014
【図１３】
2018005350.tif 000015
【図１４】
2018005350.tif 000016
【図１５】
2018005350.tif 000017
【図１６】
2018005350.tif 000018
【図１７】
2018005350.tif 000019
【図１８】
2018005350.tif 000020
【図１９】
2018005350.tif 000021
【図２０】
2018005350.tif 000022
【図２１】
2018005350.tif 000023
【図２２】
2018005350.tif 000024
【図２３】
2018005350.tif 000025